【手続補正書】
【提出日】平成30年1月16日(2018.1.16)
【手続補正１】
【補正対象書類名】特許請求の範囲
【補正対象項目名】全文
【補正方法】変更
【補正の内容】
【特許請求の範囲】
【請求項１】
少なくとも１つの通信装置と、複数のサーバ装置とが通信可能に接続されたシステムであって、
前記通信装置は、第１のサーバ装置を介して第２のサーバ装置のコンテンツの公開範囲を設定する設定手段を有し、
前記サーバ装置はそれぞれ、前記通信装置から取得したコンテンツを記憶媒体に記憶する記憶手段と、前記コンテンツの公開範囲を設定する設定手段と、前記コンテンツを前記第１のサーバ装置と前記第２のサーバ装置との間で送受信する通信手段と、前記コンテンツを前記第２のサーバ装置から第三者の端末へ配信する配信手段と、を備え、
前記第１のサーバ装置は、前記第２のサーバ装置で設定されている前記コンテンツの公開範囲の設定情報を記憶し、
前記第２のサーバ装置は、前記第２のサーバ装置で設定されたコンテンツの公開範囲内で前記第１のサーバ装置から転送されたコンテンツを前記第三者の端末へ配信し、
前記第１のサーバ装置はさらに、
前記通信装置から取得したコンテンツを前記第２のサーバ装置に転送する場合に、前記第１のサーバ装置において、前記通信装置の設定手段により設定された第１のコンテンツの公開範囲と前記第２のサーバ装置の設定手段により設定されている第２のコンテンツの公開範囲とを比較する比較手段と、前記比較の結果に基づいて前記通信装置へ通知を送信する通知手段と、を有し、
前記通知手段は、前記比較の結果、前記通信装置の設定手段により設定されたコンテンツの公開範囲が前記第２のサーバ装置の設定手段により設定されたコンテンツの公開範囲と異なっている場合、前記通知を送信し、
前記第２のサーバ装置は、前記コンテンツを、前記第２のサーバ装置において前記比較の結果に基づいて設定されたコンテンツの公開範囲に含まれる第三者の端末へ配信することを特徴とするシステム。
【請求項２】
コンテンツをサーバ装置に送信する通信装置、およびサーバ装置から転送されたコンテンツを第三者の端末へ配信する外部装置とネットワークを介して通信可能なサーバ装置の制御方法であって、
コンテンツを前記通信装置から受信するステップと、
前記コンテンツを前記外部装置へ転送するステップと、
前記通信装置により設定されたコンテンツの公開範囲を取得するステップと、
前記外部装置において設定されているコンテンツの公開範囲を前記外部装置から取得するステップと、
前記サーバ装置が前記通信装置から取得したコンテンツを前記外部装置に転送する場合に、前記通信装置により設定された前記コンテンツの公開範囲と、前記外部装置において設定されている前記コンテンツの公開範囲とを比較するステップと、
前記比較の結果に応じて選択的に、前記通信装置への通知を実行するステップと、を有し、
前記通知を実行するステップでは、前記比較の結果、前記通信装置により設定されたコンテンツの公開範囲が前記外部装置において設定されているコンテンツの公開範囲と異なっている場合、前記通知を実行することを特徴とする制御方法。
【請求項３】
前記通知するステップでは、前記比較の結果、前記通信装置により設定された前記コンテンツの公開範囲とは異なるコンテンツの公開範囲に含まれる第三者の端末へコンテンツが配信されると判定された場合に、前記通知を実行することを特徴とする請求項２に記載の制御方法。
【請求項４】
前記通知するステップでは、前記比較の結果、前記通信装置により設定されたコンテンツの公開範囲が前記外部装置において設定されているコンテンツの公開範囲より広い場合、前記通知を実行することを特徴とする請求項２に記載の制御方法。
【請求項５】
前記通知するステップでは、前記比較の結果に応じて、前記外部装置において設定されているコンテンツの公開範囲を変更する画面にアクセスするためのアドレス情報を選択的に通知することを特徴とする請求項２に記載の制御方法。
【請求項６】
通信装置、およびサーバ装置から転送されたコンテンツを第三者の端末へ配信する外部装置とネットワークを介して通信可能なサーバ装置の制御方法であって、
コンテンツを前記通信装置から受信するステップと、
前記コンテンツを前記外部装置へ転送するステップと、
前記通信装置により設定された前記コンテンツの公開範囲を取得するステップと、
前記通信装置により設定された前記コンテンツの公開範囲を前記外部装置へ送信するステップと、
前記サーバ装置が前記通信装置から取得したコンテンツを前記外部装置に転送する場合に、前記通信装置により設定された前記コンテンツの公開範囲と前記外部装置において設定されているコンテンツの公開範囲とを比較した結果を受信するステップと、
前記比較の結果に応じて選択的に、前記通信装置への通知を実行するステップと、を有し、
前記通知を実行するステップでは、前記比較の結果、前記通信装置により設定されたコンテンツの公開範囲が前記外部装置において設定されているコンテンツの公開範囲と異なっている場合、前記通知を実行することを特徴とする制御方法。
【請求項７】
前記通知するステップでは、前記比較の結果、前記通信装置により設定された前記コンテンツの公開範囲とは異なるコンテンツの公開範囲に含まれる第三者の端末へコンテンツが配信されると判定された場合に、前記通知を実行することを特徴とする請求項６に記載の制御方法。
【請求項８】
前記通知するステップでは、前記比較の結果、前記通信装置により設定されたコンテンツの公開範囲が前記外部装置において設定されているコンテンツの公開範囲より広い場合、前記通知を実行することを特徴とする請求項６に記載の制御方法。
【請求項９】
前記通知するステップでは、前記比較の結果に応じて、前記外部装置において設定されているコンテンツの公開範囲を変更する画面にアクセスするためのアドレス情報を選択的に通知することを特徴とする請求項６に記載の制御方法。
【請求項１０】
コンテンツをサーバ装置に送信する通信装置、およびサーバ装置から転送されたコンテンツを第三者の端末へ配信する外部装置とネットワークを介して通信可能なサーバ装置の制御方法であって、
コンテンツを前記通信装置から受信するステップと、
前記コンテンツを前記外部装置へ転送するステップと、
前記外部装置において設定されているコンテンツの公開範囲を前記外部装置から取得するステップと、
前記サーバ装置が前記通信装置から取得したコンテンツを前記外部装置に転送する場合に、前記外部装置において設定されているコンテンツの公開範囲が前記サーバ装置において設定されているコンテンツの公開範囲と異なっている場合、前記通信装置に通知を送信するステップと、
前記サーバ装置により設定可能なコンテンツの公開範囲に基づいて、前記サーバ装置でコンテンツの公開範囲を設定するための設定画面を前記通信装置へ送信するステップと、
前記設定画面にしたがって入力されたコンテンツの公開範囲を保存するステップと、
前記設定画面にしたがって入力されたコンテンツの公開範囲を前記外部装置へ転送するステップと、を有することを特徴とする制御方法。
【請求項１１】
前記設定画面は、前記外部装置において設定されているコンテンツの公開範囲より広いコンテンツの公開範囲の設定が不可能な状態であることを特徴とする請求項１０に記載の制御方法。
【請求項１２】
コンテンツをサーバ装置に送信する通信装置、およびサーバ装置から転送されたコンテンツを第三者の端末へ配信する外部装置とネットワークを介して通信可能なサーバ装置であって、
コンテンツを前記通信装置から受信する手段と、
前記コンテンツを前記外部装置へ転送する手段と、
前記通信装置により設定された前記コンテンツの公開範囲を取得する手段と、
前記通信装置により設定された前記コンテンツの公開範囲を前記外部装置へ送信する手段と、
前記外部装置において設定されているコンテンツの公開範囲を前記外部装置から取得する手段と、
前記サーバ装置が前記通信装置から取得したコンテンツを前記外部装置に転送する場合に、前記通信装置により設定された前記コンテンツの公開範囲と前記外部装置において設定されているコンテンツの公開範囲とを比較する手段と、
前記比較の結果に応じて選択的に、前記通信装置への通知を実行する手段と、を有し、
前記通知を実行する手段は、前記比較の結果、前記通信装置により設定されたコンテンツの公開範囲が前記外部装置において設定されているコンテンツの公開範囲と異なっている場合、前記通知を実行することを特徴とするサーバ装置。
【請求項１３】
通信装置、およびサーバ装置から転送されたコンテンツを第三者の端末へ配信する外部装置とネットワークを介して通信可能なサーバ装置であって、
コンテンツを前記通信装置から受信する手段と、
前記コンテンツを前記外部装置へ転送する手段と、
前記通信装置により設定された前記コンテンツの公開範囲を取得する手段と、
前記通信装置により設定された前記コンテンツの公開範囲を前記外部装置へ送信する手段と、
前記サーバ装置が前記通信装置から取得したコンテンツを前記外部装置に転送する場合に、前記通信装置により設定された前記コンテンツの公開範囲と前記外部装置において設定されているコンテンツの公開範囲とを比較した結果を受信する手段と、
前記比較の結果に応じて選択的に、前記通信装置への通知を実行する手段と、を有し、
前記通知を実行する手段は、前記比較の結果、前記通信装置により設定されたコンテンツの公開範囲が前記外部装置において設定されているコンテンツの公開範囲と異なっている場合、前記通知を実行することを特徴とするサーバ装置。
【請求項１４】
コンテンツをサーバ装置に送信する通信装置、およびサーバ装置から転送されたコンテンツを第三者の端末へ配信する外部装置とネットワークを介して通信可能なサーバ装置であって、
コンテンツを前記通信装置から受信する手段と、
前記コンテンツを前記外部装置へ転送する手段と、
前記外部装置において設定されているコンテンツの公開範囲を前記外部装置から取得する手段と、
前記サーバ装置が前記通信装置から取得したコンテンツを前記外部装置に転送する場合に、前記外部装置において設定されているコンテンツの公開範囲が前記サーバ装置において設定されているコンテンツの公開範囲と異なっている場合、前記通信装置に通知を送信する手段と、
前記サーバ装置により設定可能なコンテンツの公開範囲に基づいて、前記サーバ装置でコンテンツの公開範囲を設定するための設定画面を前記通信装置へ送信する手段と、
前記設定画面にしたがって入力されたコンテンツの公開範囲を保存する手段と、
前記設定画面にしたがって入力されたコンテンツの公開範囲を前記外部装置へ転送する手段と、を有することを特徴とするサーバ装置。
【請求項１５】
請求項２から１１のいずれか１項に記載の制御方法をコンピュータに実行させるためのプログラム。
【請求項１６】
請求項２から１１のいずれか１項に記載の制御方法をコンピュータに実行させるためのプログラムを格納したコンピュータが読み取り可能な記憶媒体。
【手続補正２】
【補正対象書類名】明細書
【補正対象項目名】発明の名称
【補正方法】変更
【補正の内容】
【発明の名称】サーバ装置及びその制御方法、システム、プログラム、並びに記憶媒体
【手続補正３】
【補正対象書類名】明細書
【補正対象項目名】０００７
【補正方法】変更
【補正の内容】
【０００７】
上記課題を解決し、目的を達成するために、本発明のシステムは、少なくとも１つの通信装置と、複数のサーバ装置とが通信可能に接続されたシステムであって、
前記通信装置は、第１のサーバ装置を介して第２のサーバ装置のコンテンツの公開範囲を設定する設定手段を有し、
前記サーバ装置はそれぞれ、前記通信装置から取得したコンテンツを記憶媒体に記憶する記憶手段と、前記コンテンツの公開範囲を設定する設定手段と、前記コンテンツを前記第１のサーバ装置と前記第２のサーバ装置との間で送受信する通信手段と、前記コンテンツを前記第２のサーバ装置から第三者の端末へ配信する配信手段と、を備え、
前記第１のサーバ装置は、前記第２のサーバ装置で設定されている前記コンテンツの公開範囲の設定情報を記憶し、
前記第２のサーバ装置は、前記第２のサーバ装置で設定されたコンテンツの公開範囲内で前記第１のサーバ装置から転送されたコンテンツを前記第三者の端末へ配信し、
前記第１のサーバ装置はさらに、
前記通信装置から取得したコンテンツを前記第２のサーバ装置に転送する場合に、前記第１のサーバ装置において、前記通信装置の設定手段により設定された第１のコンテンツの公開範囲と前記第２のサーバ装置の設定手段により設定されている第２のコンテンツの公開範囲とを比較する比較手段と、前記比較の結果に基づいて前記通信装置へ通知を送信する通知手段と、を有し、
前記通知手段は、前記比較の結果、前記通信装置の設定手段により設定されたコンテンツの公開範囲が前記第２のサーバ装置の設定手段により設定されたコンテンツの公開範囲と異なっている場合、前記通知を送信し、
前記第２のサーバ装置は、前記コンテンツを、前記第２のサーバ装置において前記比較の結果に基づいて設定されたコンテンツの公開範囲に含まれる第三者の端末へ配信する。
【手続補正４】
【補正対象書類名】明細書
【補正対象項目名】００３４
【補正方法】変更
【補正の内容】
【００３４】
メモリＩ／Ｆ２１０は、ＵＳＢメモリなどの外部記憶媒体に対するデータの読み出しや書き込みを制御する。
【手続補正５】
【補正対象書類名】明細書
【補正対象項目名】０１０５
【補正方法】変更
【補正の内容】
【０１０５】
なお、図７のステップＳ７０１、Ｓ７０４、Ｓ７０５、Ｓ７１３、Ｓ７１４、Ｓ７１８は、図６のステップＳ６０１、Ｓ６０４、Ｓ６０５、Ｓ６１９、Ｓ６２０、Ｓ６２６と同様である。また、図７のステップＳ７０２、Ｓ７０３、Ｓ７０６、Ｓ７１２、Ｓ７１５、Ｓ７１６、Ｓ７１７は、図６のステップＳ６０２、Ｓ６０３、Ｓ６０６、Ｓ６１８、Ｓ６２１、Ｓ６２４、Ｓ６２５と同様である。よって、以下では、図６と異なる点を中心に説明を進める。